(57)【要約】      （修正有）【課題】一つのディスプレイを基にした寸法でブロック式にスタンド部材を構成し、これら部材を組立式にして設置現場への梱包、運搬、搬入を容易にし、且つこれら部材の、組み立て作業を容易にする割安のマルチディスプレイを提供する。【解決手段】下部補強支柱は台座２にビスにより立設自在とすると共に、この下部補強支柱の上部には軸心方向の差込み穴を設け、この差込み穴には上部補強支柱の下部に設けた軸心方向の挿入部を差込み固定自在としてあり、取付パネル装置４は、ディスプレイ１が固定自在なパネル本体１３と、パネル本体の両側に固定した取付支柱と同一太さで当該ディスプレイの高さと同一長さの枠パイプと、該枠パイプの上部に設けた軸心方向の差込み穴と、枠パイプの下部に設けた軸心方向の挿入部とよりなり、この挿入部は取付支柱の差込み穴と、隣接段における枠パイプの差込穴に差込み固定自在とし、組み立てられた枠パイプと補強支柱を連結自在としてなる。【選択図】図１
0003162653.tif 000002
【実用新案登録請求の範囲】
【請求項１】
床面に載置する一つのディスプレイ幅の台座と、該台座の両側位置に立設自在な支柱装置と、支柱装置間に架設自在な複数個の取付パネル装置とよりなり、支柱装置は取付支柱と補強支柱とよりなり、取付支柱の下部は台座に固定自在となっており、取付支柱の上部中心には軸心方向の差込穴が設けてあって、該差込穴には取付パネル装置の挿入部が差込まれ固定自在となっており、補強支柱は下部補強支柱と上部補強支柱とよりなり、下部補強支柱は台座にビスにより立設自在とすると共に、この下部補強支柱の上部には軸心方向の差込み穴を設け、この差込み穴には上部補強支柱の下部に設けた軸心方向の挿入部を差込み固定自在としてあり、取付パネル装置は、当該ディスプレイが固定自在なパネル本体と、パネル本体の両側に固定した前記取付支柱と同一太さで当該ディスプレイの高さと同一長さの枠パイプと、該枠パイプの上部に設けた軸心方向の差込み穴と、枠パイプの下部に設けた軸心方向の挿入部とよりなり、この挿入部は取付支柱の差込み穴と、隣接段における枠パイプの差込穴に差込み固定自在とし、組み立てられた枠パイプと補強支柱を連結自在としてなるマルチディスプレイ用スタンド。
【考案の詳細な説明】
【技術分野】
【０００１】
本考案は店頭や店内などに陳列・展示するもので、複数個のディスプレイを面一に組立てる際に使用するフロアー用のスタンドに関する。
【背景技術】
【０００２】
従来店頭や店内などに陳列、展示するディスプレイは、一個のディスプレイに一画像を映し出すものが殆どであるが、近年マルチディスプレイシステム（一画像全体を、複数個のテレビディスプレイで構成した大画面ディスプレイで表示するシステム。）が開発され、複数個のディスプレイを面一に組立てるフロアースタンドが望まれている。ところが今開発されているフロアースタンドは、大画面として組み立てたマルチディスプレイの全体寸法をもとにしてスタンド部材が作られているため、これら部材が大きくなりすぎて運搬、搬入、梱包、組み立て、解体等の作業が困難となり、勢い割高なものとなってしまう等の欠点がある。又現在の流通システムの主流である宅配便を利用するには大きさに規制があるため割安の宅配便を利用できない恐れがあり、特別の運送便を利用しなければならないためこの点からも高額な運送費用が必要となる。
【考案の開示】
【考案が解決しようとする課題】
【０００３】
そこで本考案は、一つのディスプレイを基にした寸法でブロック式にスタンド部材を構成し、これら部材を組立式にして設置現場への梱包、運搬、搬入を容易にし、且つこれら部材の、組み立て作業を容易にすると共に部分ディスプレイの故障などでも該故障部分の部分補修を可能にし、増設などの作業や解体作業を容易にできるようにし、全体として割安のマルチディスプレイを提供しようとするものである。殊に大きさに規制のある宅配便での運搬が可能となり運送費も軽減できる利点がある。
勿論、マルチディスプレイシステム以外の複数個の画像を各々のディスプレイに表示するマルチディスプレイの組立に使用することもできるようにしようとするものである。
【課題を解決するための手段】
【０００４】
床面に載置する一つのディスプレイ幅の台座と、該台座の両側位置に立設自在な支柱装置と、支柱装置間に架設自在な複数個の取付パネル装置とよりなり、支柱装置は取付支柱と補強支柱とよりなり、取付支柱の下部は台座に固定自在となっており、取付支柱の上部中心には軸心方向の差込穴が設けてあって、該差込穴には取付パネル装置の挿入部が差込まれ固定自在となっており、補強支柱は下部補強支柱と上部補強支柱とよりなり、下部補強支柱は台座にビスにより立設自在とすると共に、この下部補強支柱の上部には軸心方向の差込み穴を設け、この差込み穴には上部補強支柱の下部に設けた軸心方向の挿入部を差込み固定自在としてあり、取付パネル装置は、当該ディスプレイが固定自在なパネル本体と、パネル本体の両側に固定した前記取付支柱と同一太さで当該ディスプレイの高さと同一長さの枠パイプと、該枠パイプの上部に設けた軸心方向の差込み穴と、枠パイプの下部に設けた軸心方向の挿入部とよりなり、この挿入部は取付支柱の差込み穴と、隣接段における枠パイプの差込穴に差込み固定自在とし、組み立てられた枠パイプと補強支柱を連結自在としてなるものである。
【考案の効果】
【０００５】
本考案の効果として、一つのディスプレイを基にした寸法でブロック式にスタンド部材を組立自在に構成してあるので、設置現場への梱包、運搬、搬入を容易にし、殊に現在の流通システムの主流である宅配便での運搬が可能となり、且つこれら部材の組み立て作業は殆どがネジ止めなどの簡単な作業ででき、部分的なディスプレイの故障などでも、上下左右に隣接された設置済みのディスプレイを外すことなく、当該故障部分のディスプレイのみを外して部分補修ができ、増設などの作業や解体作業も容易にできる
【図面の簡単な説明】
【０００６】
【図１】本考案に係るマルチディスプレイシステム用スタンドの正面説明図
【図２】同側面説明図と枠パイプの分解説明図。
【図３】取付パネル装置の正面説明図
【図４】同側面説明図
【図５】上部補強支柱の拡大説明図
【実施例】
【０００７】
床面に載置する一つのディスプレイ１幅の台座２と、該台座２の両側位置に立設自在な支柱装置３，３と、支柱装置３，３間に架設自在な取付パネル装置４とよりなり、支柱装置３，３は取付支柱５と補強支柱６とよりなり、取付支柱５の下部は台座２に固定自在となっており、取付支柱６の上部中心には軸心方向の差込穴７が設けてあって、該差込穴７には後述の取付パネル装置４の軸心方向の挿入部８が差込まれビス止めにより固定自在となっている。必要によって取付支柱５の前には補助支柱１７を立設自在としておき、台座２に立設したときの取付支柱６の前倒れを防止するようにしておくとよい。台座２は持ち運びが便利なように複数枚の板状素材により構成し、運搬に際しては個々に持ち運びできるようにしておき、現場での組立においてこれら板状素材を重ねて台座２とするとよい、又板状素材の枚数の増減により台座２の安定化を調整できるようになる。
【０００８】
補強支柱６は下部補強支柱９と上部補強支柱１０とよりなり、下部補強支柱９は台座２にビスにより立設自在とすると共に、この下部補強支柱９の上部には軸心方向の差込み穴１１を設け、この差込み穴１０には上部補強支柱１０の下部軸心方向に設けた挿入部１２を差込み固定自在としてある。
【０００９】
複数個の取付パネル装置４は、当該ディスプレイ１が固定自在なパネル本体１３と、パネル本体１３の両側に固定した前記取付支柱５と同一太さで当該ディスプレイ１の高さと同一長さの枠パイプ１４，１４と、該枠パイプ１４．１４の上部に設けた軸心方向の差込み穴１５と、枠パイプ１４，１４の下部に軸心方向の挿入部１６とを設けてあり、この挿入部１６は取付支柱５の差込み穴７や、隣接段における枠パイプ１４の差込穴１５に差込み固定自在としてある。差込み穴７，１５と挿入部１６は要所においてビス止めにて固定する。
【００１０】
台座２に立設された取付支柱５に差し込み固定された枠パイプ１４，１４は、下部補強支柱９とこれに固定された上部補強支柱１０に連結自在となっている。
【００１１】
図中２１は化粧カバーである。
【００１２】
以下組立順序を説明してゆく。先ず台座２は、複数個の板状素材に分割されている場合は、これらを重ね固定して構成し、この両側位置に補助支柱１７、取付支柱５、補強支柱６の下部補強支柱９を並べ、これら支柱１７，５，９を連結金具２０により連結し、ビス止めによって立設すると共に、底部にキャスター１８、アジャスター１９を取付け、一方取付パネル装置４のパネル本体１３にはディスプレイ１を固定しておき、その後枠パイプ１４の挿入部１６を取付支柱５の差込穴７に差込みビスにより固定する。更に下段の取付パネル装置４に次段取付パネル装置４を重ねる際は、下段取付パネル装置４の差込穴１５に次段取付パネル装置４の挿入部１６を差込固定してゆく。このとき補強支柱６における下部補強支柱９の差込穴１１に上部補強支柱１０の挿入部１２を差込みビス止め等の手段により固定する。組み込まれた枠パイプ１４と上部補強支柱１０を連結金具２０により固定する。その後化粧カバー２１を取り付ける。尚補助支柱１７は必ずしも必要としない。台座２の板状素材は枚数を増減することで全体の重心の安定化を図り自立スタンドとしての機能を達成する。
【００１３】
横に増設する場合は、台座２を一直線上に並設し、その上に前記要領で組み立てていけばよい。一部ディスプレイ１に障害が生じたような場合は、その位置のパネル本体１３から外して補修後に再取付すればよい。
【符号の説明】
【００１４】
１：ディスプレイ
２：台座
３、３：支柱装置
４：取付パネル装置
５：取付支柱
６：補強支柱
７：差込穴
８：挿入部
９：下部補強支柱
１０：上部補強支柱
１１：差込穴
１２：挿入部
１３：パネル本体
１４：枠パイプ
１５：差込穴
１６挿入部
１７：補助支柱
１８：キャスター
１９：アジャスター
２０：連結金具
２１：化粧カバー
【図１】
0003162653.tif 000003
【図２】
0003162653.tif 000004
【図３】
0003162653.tif 000005
【図４】
0003162653.tif 000006
【図５】
0003162653.tif 000007